(57)【要約】【課題】  電源ＯＮ／ＯＦＦの制御を伴う映像機器間の通信を行う映像機器は、電源ＯＦＦ中も常時通信部分の電源を入れておく必要があり待機電力の増大につながった。【解決手段】  電源の制御を伴う通信機能を有する映像機器において、供給電源電圧を変えられる電源供給部と、前記通信を行う通信制御回路部と、前記電源供給部より前記通信制御部への電源供給を制御する電源供給制御手段と、前記通信を検出する通信検出手段とを備え、  前記電源供給制御手段は、前記通信が行われないときは前記通信制御回路部の電源電圧を下げ、前記通信検出手段により前記通信を検出したときは前記通信制御回路部の電源電圧を上げることを特徴とする。【選択図】  図１
2006345285.tif 000002
【特許請求の範囲】
【請求項１】
電源の制御を伴う通信機能を有する映像機器において、
供給電源電圧を変えられる電源供給部と、前記通信を行う通信制御回路部と、前記電源供給部より前記通信制御部への電源供給を制御する電源供給制御手段と、前記通信を検出する通信検出手段とを備え、
前記電源供給制御手段は、前記通信が行われないときは前記通信制御回路部の電源電圧を下げ、前記通信検出手段により前記通信を検出したときは前記通信制御回路部の電源電圧を上げることを特徴とする映像機器。
【請求項２】
電源の制御を伴う通信機能を有する映像機器において、
供給電源電圧を変えられる電源供給部と、前記通信を行う通信制御回路部と、前記電源供給部より前記通信制御部への電源供給を制御する電源供給制御手段と、前記通信を検出する通信検出手段と、前記通信制御部をマイコンのクロックを停止する省電力モードと通常モードに切り換える手段とを備え、
前記電源供給制御手段は、前記通信が行われないときは前記通信制御回路部の電源電圧を下げ、前記マイコンを省電力モードで動作させ、前記通信検出手段により前記通信を検出したときは前記通信制御回路部の電源電圧を上げ、前記マイコンを通常モードで動作させることを特徴とする映像機器。
【請求項３】
請求項１又は２において、前記電源供給制御手段は、前記映像機器の電源を制御するマイコンによって制御されることを特徴とする映像機器。
【請求項４】
請求項１から３のいずれかにおいて、前記通信は欧州のＡＶＬＩＮＫ規格に準拠することを特徴とする映像機器。
【発明の詳細な説明】
【技術分野】
【０００１】
本発明は映像機器間を接続し、相互通信し、通信により機器の電源ＯＮ／ＯＦＦを制御する機能を搭載した映像機器に関するものである。
【背景技術】
【０００２】
近年、映像機器接続時の相互通信について高機能化が進んでいる。操作系の制御だけでなく電源の制御も行うことができるシステムも多い。たとえば、特開２００４−２００８６２号は映像機器本体から通信によって外部機器の電源ＯＮ／ＯＦＦを制御するものが記載されている。欧州向け映像機器においては機器間の相互通信、操作系の制御、電源制御も行う規格としてＡＶＬＩＮＫが知られている。
【０００３】
以下、欧州の映像機器の接続方法としてＳＣＡＲＴ（スカート）端子を用いた接続とその中の通信規格であるＡＶＬＩＮＫ規格による機器制御を例に説明する。ＳＣＡＲＴ端子とは欧州において映像機器間を接続する規格で２１ピンのケーブルで接続するものである。接続内容は各種の映像フォーマットによる入出力信号、音声の入出力信号、機器間で相互に制御を行うＡＶＬＩＮＫ信号で構成されている。使用者が機器間を接続する際、２１ＰＩＮケーブル１本を接続するだけですむ。従って、ＲＣＡピンによる接続に比べて手間が少なく、接続ミスも発生しにくい。
【０００４】
ＳＣＡＲＴ端子内の１信号であるＡＶＬＩＮＫ信号は機器間の制御やシステムデータのやり取りをするもので、相手機器の電源ＯＮ／ＯＦＦ、入力切替、チャンネル切り替え、チャンネルプリセットデータの転送等を行うことができる。
【０００５】
ＡＶＬＩＮＫ関係の構成を図６に従って簡単に説明する。映像機器本体１６はそれ単独で放送を受信し、画像を表示できるものである。ＡＶＬＩＮＫ回路１４は単独でＡＶＬＩＮＫ通信を行う通信制御部である。ＡＶＬＩＮＫマイコン１５はＶＴＲ８との間でＡＶＬＩＮＫ通信を行う。ＳＣＡＲＴケーブル１１は映像機器本体１６のＳＣＡＲＴ端子とＶＴＲ８のＳＣＡＲＴ端子を接続するケーブルであり、映像音声入出力信号線、ＡＶＬＩＮＫ通信線ｂを一度に接続できる。ＡＶＬＩＮＫ通信線ｂは映像機器本体１６とＶＴＲ８間を接続し、相互通信する通信線である。なお、映像音声処理回路２は放送の受信、復調、表示、音声処理のための回路全般である。映像表示部１２は映像音声処理回路２からの出力画像を画面に表示するものである。
【０００６】
ＡＶＬＩＮＫ通信の動作として、映像機器の電源が入っていない状態から再生映像を視聴する場合を説明する。使用者はＶＴＲ８の電源を入れて、再生ボタンを押しＶＴＲ８を再生に入れる。
【０００７】
ＶＴＲ８が再生に入ると、ＶＴＲ８はＡＶＬＩＮＫ通信線ｂを通して映像機器本体１６に対して電源ＯＮの指示を行う。映像機器本体１６はＶＴＲ８からの電源ＯＮ指示に従って本体電源をＯＮし、電源ＯＮ完了通知をＶＴＲ８に返す。次にＶＴＲ８は映像機器本体１６に対して映像機器本体１６の映像入力切替をＶＴＲ８側にするように指示を行う。映像機器本体１６は映像入力切替指示に従って映像入力をＶＴＲ８側に切換え、映像切換完了通知をＶＴＲ８に返す。
【０００８】
このように、使用者は映像機器本体１６の電源スイッチや操作ボタンに触ることなく、ＶＴＲ８の再生画を視聴することができるので使用者の操作性を大幅に向上させることができる。
【０００９】
【特許文献１】特開２００４−２００８６２号
【発明の開示】
【発明が解決しようとする課題】
【００１０】
しかしながら、この機能の実現のために、通信の監視を常に行う必要があり、映像機器の電源ＯＮ／ＯＦＦにかかわらず、映像機器内の通信関係の回路すなわち、ＡＶＬＩＮＫ回路１４の電源を常に入れておく必要があった。そのため、近年推奨されている消費電力削減、待機電力の削減の障害となるものであった。
【００１１】
本発明はこのような状況を鑑み、映像機器の電源ＯＮ／ＯＦＦを伴う映像機器間の通信仕様を実現しつつ、かつ待機電力の削減を行うことを目的とするものである。
【課題を解決するための手段】
【００１２】
第１の発明は電源の制御を伴う通信機能を有する映像機器において、
供給電源電圧を変えられる電源供給部と、前記通信を行う通信制御回路部と、前記電源供給部より前記通信制御部への電源供給を制御する電源供給制御手段と、前記通信を検出する通信検出手段とを備え、
前記電源供給制御手段は、前記通信が行われないときは前記通信制御回路部の電源電圧を下げ、前記通信検出手段により前記通信を検出したときは前記通信制御回路部の電源電圧を上げることを特徴とする。
【００１３】
第２の発明は電源の制御を伴う通信機能を有する映像機器において、
供給電源電圧を変えられる電源供給部と、前記通信を行う通信制御回路部と、前記電源供給部より前記通信制御部への電源供給を制御する電源供給制御手段と、前記通信を検出する通信検出手段と、前記通信制御部をマイコンのクロックを停止する省電力モードと通常モードに切り換える手段とを備え、
前記電源供給制御手段は、前記通信が行われないときは前記通信制御回路部の電源電圧を下げ、前記マイコンを省電力モードで動作させ、前記通信検出手段により前記通信を検出したときは前記通信制御回路部の電源電圧を上げ、前記マイコンを通常モードで動作させることを特徴とする。
【００１４】
第３の発明は請求項１又は２において、前記電源供給制御手段は、前記映像機器の電源を制御するマイコンによって制御されることを特徴とする。
【００１５】
第４の発明は請求項１から３のいずれかにおいて、前記通信は欧州のＡＶＬＩＮＫ規格に準拠することを特徴とする。
【発明の効果】
【００１６】
本発明によれば映像機器の電源ＯＮ／ＯＦＦを伴う映像機器間の通信仕様において映像機器本体の電源ＯＦＦ時の待機電力を削減することができ、かつ、ＶＴＲ等の接続機器からの電源ＯＮ要求に対しても従来通り対応でき、機器間の通信仕様と待機電力の削減を両立でき、環境にやさしい映像機器を実現できる。
【発明を実施するための最良の形態】
【００１７】
本実施例を図１に従って説明する。欧州映像機器のＳＣＡＲＴ（スカート）端子のＡＶＬＩＮＫ信号を用いた映像機器制御例である。
【００１８】
本発明の大まかな構成を説明する。ＳＣＡＲＴケーブル１１は複数の映像フォーマットの入出力映像信号ラインと音声の入出力音声信号ラインと、機器間の相互の制御を行うＡＶＬＩＮＫ信号ラインからなる。本構成は、映像機器本体１とＶＴＲ８間をＳＣＡＲＴケーブル1本で接続するのみで機器間の映像、音声信号の接続、機器間の相互通信による制御が可能である。
【００１９】
ＳＣＡＲＴ端子内の１信号であるＡＶＬＩＮＫ信号の特徴は機器間の相互制御であり、お互いの機器の操作、電源の入り切りを行うことができる。制御例として、映像機器本体１のチャンネルプリセット情報をＶＴＲ８側に転送してチャンネルプリセット情報を共有するプリセットダウンロード機能、映像機器本体１で視聴中の映像をＶＴＲ８で記録するＷＹＳＩＷＹＲ（what you see is what you recod)機能、ＶＴＲ８の再生ボタンを押すことで映像機器本体１の電源が入り、自動的に映像入力がＶＴＲ８側に切り替わりＶＴＲ８の再生画を視聴できるワンタッチプレイ等がある。
【００２０】
このようにＡＶＬＮＫとは、使用者の操作を簡単に行うことを可能にした規格である。特に電源制御も行うことができる規格であるので、ＡＶＬＩＮＫで接続された一方の映像機器のみを操作することで、他方の電源の入切りも含めた制御が可能であり、使用者の操作性の向上が図れる。
【００２１】
映像機器本体１は単独で放送を受信し、画像を表示できるものである。映像音声処理回路２は放送の受信、復調、表示、音声処理のための回路全般である。映像表示部１２は映像音声処理回路２からの出力を画面に表示する。電源スイッチ１３は使用者が映像機器本体１の電源のＯＮ／ＯＦＦを行うスイッチである。メインマイコン３は映像機器本体１内の制御全般を司るマイコンであり映像音声処理回路２、電源マイコン４、ＡＶＬＩＮＫマイコン７と通信を行う。
【００２２】
電源マイコン４は映像機器本体１全般の電源制御を司るマイコンであり、ＡＶＬＩＮＫ電源制御線ｄを通してＤＣＤＣコンバータ５を制御する。電源マイコン４はリモコン、電源スイッチによる電源ＯＮ検知のために常に電源が入っている。
【００２３】
ＡＶＬＩＮＫ回路６は単独でＡＶＬＩＮＫ通信を行うことができる通信制御回路部であり、電源電圧５Ｖから１．２Ｖで動作可能な回路である。本体電源ＯＦＦ時に電源電圧１．２Ｖで待機するためである。ＡＶＬＩＮＫマイコン７はＶＴＲ８とＡＶＬＩＮＫ通信を行うためのマイコンである。ＡＶＬＩＮＫマイコン７は基準クロックを停止することによって消費電力を大幅に削減できる省電力モードを持つ。省電力モード時は電源電圧１．２Ｖで動作する。
【００２４】
ＤＣＤＣコンバータ５はＡＶＬＩＮＫ回路６の電源電圧を制御するものであり、ＡＶＬＩＮＫマイコン７が通常モード時は５Ｖを供給し、省電力モード時は１．２Ｖを供給する。
【００２５】
ＶＴＲ８は一般的な記録再生機器であり、筐体内に映像音声処理回路９とＶＴＲ制御マイコン１０を備える。ＶＴＲ制御マイコン１０は映像機器本体１のＡＶＬＩＮＫマイコン７、電源マイコン４とＡＶＬＩＮＫ通信線にて接続されている。
【００２６】
ＡＶＬＩＮＫマイコン７は通常動作と省電力動作の２つのモードを持つ。通常モードは、マイコンの基準クロックが発振している状態でマイコン内のプログラムが正常に動作している状態であり、ＡＶＬＩＮＫ通信を正常に行うことができる。この状態は、マイコンの消費電力が大きい。
【００２７】
もう１つのモードは省電力モードで、マイコンの基準クロックを停止した状態であり、電源電圧１．２Ｖで動作する。マイコン内のプログラムは停止しているが、マイコン内のデータは保持されている。このモードにおいて、ＡＶＬＩＮＫ起動線ｃが接続された端子にトリガを設定することで、当該端子にパルスを入れることでクロック発振を再開することができる。
【００２８】
ＤＣＤＣコンバータ５について図２のＤＣＤＣコンバータ内部構成図、図３の回路波形図に沿って説明する。説明で用いるＤＣＤＣコンバータはプッシュプル型のコンバータである。これは１例であり、他の方式でも昇圧、降圧することができれば問題ない。
【００２９】
また、ＡＶＬＩＮＫマイコン７を省電力モードに入れることによる消費電力削減量とＤＣＤＣコンバータ５を常に動作させることによる消費電力増加量の比が問題となるが、マイコンの消費電力削減量は一般的に数１００ｍＷ程度に対してＤＣＤＣコンバータ自体の電力増加量は数ｍＷであり問題ない。
【００３０】
発振回路Ａ５０１は５Ｖ電源生成用クロック発生回路である。発振回路Ｂ５０２は１．２Ｖ電源生成用クロック発生回路である。切換スイッチ５０３は電源マイコン４からのＡＶＬＩＮＫ電源制御線ｄによって切り換えられる。ドライバー回路５０４は発振回路から送られたクロックに従って電源をスイッチングする。コンデンサ５０５は電力チャージ用である。ダイオード５０６，５０７は電流を制御して昇圧させるものである。コンデンサ５０８は平滑用コンデンサである。コンデンサ５０８の出力はＡＶＬＩＮＫ電源ラインａとしてＡＶＬＮＫ回路６、ＡＶＬＩＮＫマイコン７に供給される。
【００３１】
５Ｖ電源生成時の動作を説明する。発振回路Ａ５０１から図３の（ａ）に示すような所定のデューティーのパルスを出力し、スイッチ５０３にて選択され、ドライバ回路５０４に入る。ドライバ回路５０４で同パルスにより電源をスイッチングする。コンデンサ５０５を通して間欠的に電力をチャージされ、ダイオード５０６、５０７によって、昇圧される。コンデンサ５０５の出力波形を図３（ａ）に示す。その後、コンデンサ５０８で平滑され、図３（ａ）のＤＣＤＣコン出力に示す波形となりＡＶＬＩＮＫ電源ラインａとしてＤＣＤＣコンバータから出力させる。
【００３２】
１．２Ｖ電源生成時は発振回路Ｂ５０２のパルスが選択され（図３（ｂ）発振回路Ｂ５０２の波形）、スイッチ５０３を通り、ドライバ回路５０４にて間欠的にスイッチングされ、最終的に１．２Ｖの出力波形となる。（図３（ｂ）のＤＣＤＣコン出力）
具体的に映像機器本体１の電源ＯＮからＯＦＦ時の動作を図１の全体図と図４のフローチャート図に従って説明する。映像機器本体１を視聴中に使用者によって映像機器本体１の電源スイッチ１３が切られた場合である。
【００３３】
使用者が電源スイッチ１３を切ると、メインマイコン３がスイッチ状態を検知し、映像音声処理回路２、映像表示部１２の動作を停止させ、電源マイコン４に対して全体の電源ＯＦＦを指示する。ＡＶＬＩＮＫマイコン７はＡＶＬＩＮＫ通信のための処理を終了させる。
【００３４】
ステップＳ１：電源マイコン４はＡＶＬＩＮＫマイコン７に対して省電力モードに入るよう指示する。ＡＶＬＩＮＫマイコン７は省電力モードに入る前に、次回のマイコン基準クロック発振再開のため、発振開始のトリガをＡＶＬＩＮＫ起動線ｃの接続された端子に設定する。この設定により、ＡＶＬＩＮＫ起動線ｃにパルスが入ることで、クロック発振を再開できる。処理完了後ステップ２に移る。
【００３５】
ステップＳ２：ＡＶＬＩＮＫマイコン７は自らマイコン基準クロックを停止させ、省電力モードに入る。基準クロックを停止させることによってＡＶＬＩＮＫマイコン７の消費電力を大幅にさげることができる。また、ＡＶＬＩＮＫマイコン７はマイコン内のデータを保持した状態であるので、基準クロックの発振を再開した際にマイコン内の初期化を行うことなく、すぐにクロック停止前の処理に移ることが出来、時間的ロスを最小限に抑えることができる。
【００３６】
ステップＳ３：電源マイコン４はＡＶＬＩＮＫマイコン７の電源電圧を下げる。マイコンの基準クロックを停止したことにより、マイコン内のデータを保持するためだけのため電源電圧を下げることができるのである。具体的には電源マイコン４はＡＶＬＩＮＫ電源制御線ｄによりＤＣＤＣコンバータ５の電源電圧設定を変えＡＶＬＩＮＫ回路６（ＡＶＬＩＮＫマイコン７を含む）の電源電圧を５Ｖから１．２Ｖに下げる。電源電圧を５Ｖから１．２Ｖに下げることによって、ＡＶＬＩＮＫ回路６及びＡＶＬＩＮＫマイコン７の消費電力をさらに下げることができる。
【００３７】
ステップＳ４：電源マイコン４はＡＶＬＩＮＫ通信線ｂのパルス入力の監視を開始する。電源マイコン４はリモコンあるいは電源スイッチを監視し、本体電源を入られるようにするため常に通電されている。
【００３８】
ステップＳ４の処理を完了することでＡＶＬＩＮＫ系の電源ＯＦＦ処理は完了する。
次に映像機器本体１の電源をＯＦＦ中にＡＶＬＩＮＫ通信が行われたときの動作を図１の全体図と図５のフローチャート図に従って説明する。
【００３９】
ステップＳ１：電源マイコン４はＡＶＬＩＮＫ通信線ｂのパルス入力を監視する。パルスの入力があったとき、ステップＳ２に進む。パルスがない場合ステップＳ１に戻る。
【００４０】
ステップＳ２：ＡＶＬＩＮＫ通信線ｂのパルスの時間幅を計測する。パルスの時間幅が正規のパルス幅か判断するためである。
【００４１】
ステップＳ３：測定されたＡＶＬＩＮＫ通信線ｂのパルス時間幅がＡＶＬＩＮＫ規格の正規のパルス幅に該当するかを判断する。正規のパルスと判断された場合はＳ４に進む。正規のパルス幅でなければステップＳ１に戻る。
【００４２】
ステップＳ４：正規のＡＶＬＩＮＫ通信であるので、ＡＶＬＩＮＫマイコン７を動作させるため、電源マイコン４はＡＶＬＩＮＫ電源制御線ｄによりＤＣＤＣコンバータ５の電源電圧設定を変えＡＶＬＩＮＫ回路６（ＡＶＬＩＮＫマイコン７を含む）の電源電圧を１．２Ｖから５Ｖに上げる。
【００４３】
ステップＳ５：ＡＶＬＩＮＫマイコン７を省電力モードから通常モードに移行させる。具体的には電源マイコン４がＡＶＬＩＮＫ起動線ｃを通してＡＶＬＩＮＫマイコン７にパルスを送る。ＡＶＬＩＮＫマイコン７はＡＶＬＩＮＫ起動線ｃのパルスをトリガとして、省電力モードから通常モードに移り、マイコン基準クロックの発振を開始する。発振開始時、ＡＶＬＩＮＫマイコン７は内部データ、プログラム動作も含めて発振停止前の状態を保持しているので、時間的ロスなく、ＡＶＬＩＮＫ通信処理に入ることができる。
【００４４】
ステップＳ６：ＡＶＬＩＮＫマイコンは通常のＡＶＬＩＮＫ通信状態に入り、ＶＴＲ８と相互通信を行い、所定のＡＶＬＩＮＫ動作を行うことができる状態になる。
【００４５】
以上のように、映像機器本体１の電源ＯＦＦでＡＶＬＩＮＫ通信がないときには、動作する必要がないＡＶＬＩＮＫ回路６、ＡＶＬＩＮＫマイコン７への電力を削減出来、待機電力を大幅に削減することができる。また、ＡＶＬＩＮＫ通信が開始されたときには短時間でＡＶＬＩＮＫマイコン７が動作状態に入り、ＡＶＬＩＮＫ通信をおこなことができる。従って、ＡＶＬＩＮＫの機能について従来通り対応でき、かつ待機電力の削減を両立でき、環境にやさしい映像機器を実現できるものである。
【００４６】
本実施例では、ＡＶＬＩＮＫマイコン７を省電力モードに入れ、ＡＶＬＩＮＫマイコン７の電源電圧を下げる例を示したが、マイコンの品種によってはマイコンを省電力モードに入れることなく、マイコンの電源電圧を下げることが可能なものもある。その場合はＡＶＬＩＮＫマイコン７を省電力モードに入れることなく、ＡＶＬＮＫ通信のないときにマイコンの電源電圧を下げ、ＡＶＬＩＮＫ通信が開始されたところで電源電圧を元に戻す方法のみでも消費電力削減が可能である。
【図面の簡単な説明】
【００４７】
【図１】本発明の一実施の形態における全体構成例１を示す図である。
【図２】本発明の一実施の形態におけるＤＣＤＣコンバータを示す図である。
【図３】本発明の一実施の形態におけるＤＣＤＣコンバータの回路波形を示す図である。
【図４】本発明の一実施の形態における映像機器本体電源ＯＦＦ時のマイコン電源制御フローチャートを示す図である。
【図５】本発明の一実施の形態におけるＡＶＬＩＮＫ通信時のマイコン電源制御フローチャートを示す図である。
【図６】従来例の全体構成例を示す図である。
【符号の説明】
【００４８】
１    映像機器本体
２    映像音声処理回路
３    メインマイコン
４    電源マイコン
５    ＤＣＤＣコンバータ
６    ＡＶＬＩＮＫ回路
７    ＡＶＬＩＮＫマイコン
８    ＶＴＲ
９    映像音声処理回路
１０  ＶＴＲ制御マイコン
１１  ＳＡＣＲＴケーブル
１２  映像表示部
１３  電源スイッチ
１４  ＡＶＬＩＮＫ回路
１５  ＡＶＬＩＮＫマイコン
１６  映像機器本体
ａ    ＡＶＬＩＮＫ電源ライン
ｂ    ＡＶＬＩＮＫ通信線
ｃ    ＡＶＬＩＮＫ起動線
ｄ    ＡＶＬＩＮＫ電源制御線
【図１】
2006345285.tif 000003
【図２】
2006345285.tif 000004
【図３】
2006345285.tif 000005
【図４】
2006345285.tif 000006
【図５】
2006345285.tif 000007
【図６】
2006345285.tif 000008